(57)【要約】【課題】モニターを有する撮影装置において、撮影時と再生時の操作性を両立させると大型化してしまう。【解決手段】筐体と、レンズ鏡筒と筐体に設けられ可撓部を有するモニターと、筐体に回動可能に軸支され、撮影条件操作部と、前記モニター可撓部を第１の回動位置で撓ませた状態で支持し第２の回動位置で伸長させた状態で支持する支持手段を有する操作部によって撮影装置を構成する。【選択図】  図１
2015154223.tif 000002
【特許請求の範囲】
【請求項１】
筐体と、
レンズ鏡筒と
筐体に設けられ可撓部を有するモニターと、
筐体に回動可能に軸支され、撮影条件操作部と、前記モニター可撓部を第１の回動位置で撓ませた状態で支持し第２の回動位置で伸長させた状態で支持する支持手段を有する操作部
によって構成される撮影装置。
【請求項２】
前記モニターは、表示面が平面に保持された固定表示部を有し、前記第２の回動位置において、前記可撓部の表示面が平面となるとともに、前記固定表示部の表示面と前記可撓部の表示面が平行となることを特徴とする請求項１に記載の撮影装置。
【請求項３】
前記第１の回動位置において、前記固定表示部の表示面と前記撮影条件操作部の操作面が平行となることを特徴とする請求項１に記載の撮影装置。
【請求項４】
ファインダーを有し、
前記第１の回動位置において、前記ファインダーの表示面と前記撮影条件操作部の操作面が平行となることを特徴とする請求項１に記載の撮影装置。
【請求項５】
前記モニター可撓部は、前記操作部の回動方向に直交する回動方向に対して前記操作部の回動方向へ撓みやすいことを特徴とする請求項１に記載の撮影装置。
【発明の詳細な説明】
【技術分野】
【０００１】
本発明は、スチルカメラやビデオカメラ装置等の撮影装置に関し、特に、撮影画像を表示するモニターを有する撮影装置に関するものである。
【背景技術】
【０００２】
近年の撮影装置においては、撮影中の被写体および撮影済みの画像を表示するために、背面液晶モニターが一般的に用いられている。
【０００３】
また、従来光学ファインダーで撮影中の被写体を確認していた一眼レフにおいても、背面液晶モニターで被写体を確認しながら撮影する、いわゆるライブビュー撮影が可能となっている。
【０００４】
しかし、撮影画像の再生時やライブビュー撮影時における閲覧性や操作性を考慮して、大画面のモニターを搭載すると、本体の大型化を招いてしまうという問題があった。
【０００５】
特許文献１では、携帯時における本体の小型化と使用時におけるモニターの大画面化を両立するために、スライド自在なグリップ部によってモニターの一部を収納または露出させる技術が開示されている。
【先行技術文献】
【特許文献】
【０００６】
【特許文献１】特開平１１−２９８７７３号公報
【発明の概要】
【発明が解決しようとする課題】
【０００７】
特許文献１においては、再生時などにおいて大画面モニターを使用する際には、携帯時と比較して本体が大型化してしまうという課題があった。
【０００８】
そこで本発明では、モニターを有する撮影装置において、小型で撮影時と再生時の操作性を向上させることを目的としている。
【課題を解決するための手段】
【０００９】
上記目的を達成するために、本発明では、筐体と、レンズ鏡筒と筐体に設けられ可撓部を有するモニターと、筐体に回動可能に軸支され、撮影条件操作部と、前記モニター可撓部を第１の回動位置で撓ませた状態で支持し第２の回動位置で伸長させた状態で支持する支持手段を有する操作部によって撮影装置を構成する。
【発明の効果】
【００１０】
モニターを有する撮影装置において、小型で撮影時と再生時の操作性を向上させることができる。
【図面の簡単な説明】
【００１１】
【図１】第１実施形態における撮影装置１の外観図（操作部１４が第１の回動位置にある場合）
【図２】第１実施形態におけるモニター１３の斜視図
【図３】第１実施形態における操作部１４の斜視図
【図４】第１実施形態における撮影装置１の外観図（操作部１４が第２の回動位置にある場合）
【図５】第１実施形態における撮影装置１の断面図
【図６】第１実施形態における第２の回動位置から第１の回動位置までの回動状態を示した上面図
【図７】第１実施形態における撮影装置１のフローチャート
【図８】第２実施形態における撮影装置２の外観図（操作部２４が第１の回動位置にある場合）
【図９】第２実施形態における撮影装置２の外観図（操作部２４が第２の回動位置にある場合）
【図１０】第２実施形態における撮影装置２の断面図
【図１１】第２実施形態における撮影装置２のフローチャート
【図１２】第２実施形態における撮影装置２の使用形態を示した説明図
【図１３】第３実施形態における撮影装置３の外観図（操作部３４が第２の回動位置にある場合）
【図１４】第３実施形態におけるモニター３３および操作部３４の斜視図
【発明を実施するための形態】
【００１２】
以下、添付の図面を参照して、本発明の好適な実施形態を説明する。
【００１３】
［第１実施形態］
以下、本発明の第１実施形態における撮影装置１について説明する。図１は、操作部１４が第１の回動位置にある撮影装置１の外観図であり、（ａ）は上面図、（ｂ）は斜視図、（ｃ）は背面図、（ｄ）は側面図である。
【００１４】
１０は筐体であり、各部材が固定される。不図示の光軸Ａ方向に直交する受光面を有する撮像素子を備え、撮像素子に入射した光線から画像を得ることが可能である。また、筐体１０の上面にネオジウムマグネットなどの磁石からなるロックマグネット１０ａを備えている。
【００１５】
１１はレンズ鏡筒であり、光軸Ａ方向に延出しており、筐体１０の前面に固定される。不図示のレンズを備え、被写体から入射した光線を撮像素子に結像させることが可能である。
【００１６】
１３はモニターであり、平板形状であって筐体１０の背面（レンズ１１と反対側）に設けられている。モニター１３は液晶パネルや有機ＥＬパネルなどからなり、撮像素子によって得られた画像（被写体）、撮影済みの画像、撮影条件など各種の情報を撮影装置１の背面方向（光軸Ａ方向）に表示可能である。第１の回動位置では、モニター１３の外部への露出量が斜線部Ｄ１の範囲となる。また、表面をなぞることで撮影装置１の操作が可能な、タッチパネル機能を備えている。図２はモニター１３の斜視図である。表示面が筐体１０の背面方向に面した平面である平面部１３ａと、表示面が上下方向への投影面内の方向（操作部１４の回動方向、図中Ｃ方向）に撓むことが可能な可撓部１３ｂとを備えており、平面部１３ａと可撓部１３ｂはそれぞれの表示面が連なるように左右方向に並んでいる。モニター１３は、別体の平面部１３ａと可撓部１３ｂを連結して構成してもよいし、全体が可撓性を有するモニターの裏面の一部に板金や基板などの剛体を固定して平面部を構成してもよい。また、モニター１３の可撓部１３ｂ側の先端に、上下方向（操作部１４の回転軸Ｂ方向）に延出した係合部１３ｃを備えている。
【００１７】
１４は操作部であり、筐体１０に対して光軸方向と垂直な回転軸Ｂを中心にＣ方向に回転可能に軸支されている。本実施例では、操作部１４を保持し回転させることで、手動で操作部１４を回転させることができるが、別にアクチュエータを設けて電動回転を可能としてもよい。図３は操作部１４の斜視図である。ヒンジ部１４ａを介して筐体１０に回転可能に軸支されている。各種撮影条件を変更するためのボタンなどを配置した平面の操作面を有する操作パネル１４ｂを備えている。
【００１８】
操作パネル１４ｂは、操作面に直交する方向に押し込みストロークを有するボタンや操作面に直交する軸を中心に回転しクリック感を有するホイールなどのメカ機構を備え、感触によって操作したことを確認することができる。操作パネル１４ｂは振動などによって操作したことを確認することができる構成であってもよい。モニター１３の係合部１３ｃが係合可能な、回転軸Ｂ方向に溝が掘られたカム溝１４ｃを備えている。操作部１４の内面にモニター１３の可撓部１３ｂが当接する内周部１４ｄを備えている。また、鉄などの強磁性体からなるロックヨーク１４ｅ、１４ｆを備えている。
【００１９】
以下、本実施例における操作部１４の第２の回動位置について説明する。図４は、操作部１４が第２の回動位置にある撮影装置１の外観図であり、（ａ）は上面図、（ｂ）は斜視図、（ｃ）は背面図、（ｄ）は側面図である。第２の回動位置は、第１の回動位置を基準として、回転軸Ｂを中心にして上面から見て反時計回りに操作部１４を９０度回転させた状態である。第１の回動位置では、モニター１３の外部への露出量は斜線部Ｄ１の範囲であったのに対し、第２の回動位置では、操作部１４の回転によりモニター１３の外部への露出量が斜線部Ｄ２の範囲となり、表示可能な面積が増える。
【００２０】
以下、本実施例における操作部１４のロック機構について説明する。図５（ａ）は、第１の回動位置において、ロックマグネット１０ａを通り光軸Ａと回転軸Ｂに平行な断面（図１中Ｈ断面）で切った撮影装置１の断面図である。第１の回動位置において、ロックマグネット１０ａとロックヨーク１４ｅは回転軸Ｂ方向に対向するように配置されている。磁石であるロックマグネット１０ａと強磁性体であるロックヨーク１４ｅの間には互いに回転軸Ｂ方向の吸着力が発生する。よって、筐体１０に対する操作部１４の回転は、吸着力による保持力以上の回転力が加わらない限り、第１の回動位置でロックされる。
【００２１】
図５（ｂ）は、第２の回動位置において、Ｈ断面で切った断面図である。第２の回動位置において、ロックマグネット１０ａとロックヨーク１４ｆは回転軸Ｂ方向に対向するように配置されている。よって、第１の回動位置と同様に、筐体１０に対する操作部１４の回転は、第２の回動位置でロックされる。
【００２２】
本実施例では、ロック機構は磁気的な吸着力によるものであるが、ピンと穴の係合によるものでもよい。図５（ｃ）は、ロック機構の他の実施形態を示したＨ断面で切った断面図である。筐体１０は、ロックマグネット１０ａの代わりに回転軸Ｂ方向に進退可能なロックピン１０ｂを備えている。ロックピン１０ｂの進退は手動で行ってもよいし、アクチュエータによって電動で行ってもよい。操作部１４は、ロックピン１０ｂの進退方向に空いたロックピン１０ｂと係合可能な穴１４ｅ、１４ｆを備えている。第１の回動位置ではロックピン１０ｂと穴１４ｅ、第２の回動位置ではロックピン１０ｂと穴１４ｆがそれぞれロックピン１０ｂの進退方向に対向するように配置されている。ロックピン１０ｂを進退させて穴１４ｅ、１４ｆに係合させることによって筐体１０に対する操作部１４の回転を、第１の回動位置および第２の回動位置でロックすることが可能である。
【００２３】
本実施例では、回転軸Ｂは撮影装置１の上下方向であるが、本発明は操作部１４の回転方向に制限は無く、例えば撮影装置１の左右方向とし、上下方向にモニター１３の表示面積を拡大する構成としてもかまわない。
【００２４】
以下、本実施例における操作部１４の回転動作について説明する。図６は、操作部１４が第２の回動位置から第１の回動位置まで回転する際の途中状態を示した上面図である。（ａ）は第２の回動位置、（ｂ）は第２の回動位置を基準に上面から見て反時計回りに５度回転した状態、（ｃ）は第２の回動位置を基準に上面から見て反時計回りに３０度回転した状態、（ｄ）は第２の回動位置を基準に上面から見て反時計回りに９０度回転した状態（第１の回動位置）を示している。Ｅは操作パネル１４ｂの面する方向である。
【００２５】
図６（ａ）において、係合部１３ｃはカム溝１４ｃの端に係合し、操作部１４に対しモニター１３の可撓部１３ｂが保持されている。カム溝１４ｃは可撓部１３ｂを付勢しながら保持し、その付勢方向は平面部１３ａの表示方向（図中下方向）と直交する図中右方向である。そのため、可撓部１３ｂの表示面が平面となり、かつ、平面部１３ａの表示面と可撓部１３ｂの表示面が平行となる。また、操作部パネル１４ａは撮影装置１の側面方向（図中Ｅ方向）に面する。
【００２６】
図６（ｂ）において、操作部１４の回転に伴い、係合部１３ｃとカム溝１４ｃの係合位置が変わる。可撓部１３ｂは係合部１３ｃを介してカム溝１４ｃから力を受け、撮影装置１の前面方向（図中上方向）に撓む。
【００２７】
図６（ｃ）において、操作部１４のさらなる回転に伴い、可撓部１３ｂの撓み量はさらに大きくなる。
【００２８】
図６（ｄ）において、可撓部１３ｂは内周部１４ｄに当接して撓み形状が保持され、可撓部１３ｂおよび平面部１３ａの一部が操作部１４の内側に収納される。また、操作部パネル１４ａは撮影装置１の背面方向（図中Ｅ方向）に面し、操作部パネル１４ａの操作面と平面部１３ａの表示面が平行となる。
【００２９】
本実施例では、第１の回動位置では操作部１４の回転に伴ってモニター１３の可撓部１３ｂを撓ませて操作部１４の内面に収納する。また、第２の回動位置では操作部１４の回転に伴ってモニター１３の可撓部１３ｂを伸長させて表示面積を拡大する。よって、操作部のスライドなどにより表示面積を変える構成に比べて、表示面積を拡大させる際の撮影装置の大型化を低減することができる。
【００３０】
本実施例では、操作部１４の回転角は９０度であるが、本発明は操作部１４の回転角度に制限は無く、例えば第２の回動位置は第１の回動位置を基準に上面から見て９０度より大きい角度を有してもかまわない。
【００３１】
以下、本実施例における撮影装置１の使用形態について説明する。  図７は、本実施例における撮影装置１のフローチャートである。１０１で撮影装置１の電源がＯＮされる。１０２で撮影装置１の使用形態が選択される。１０２で撮影が選択された場合、１０３で操作部１４を第１の回動位置に回転させる。１０４でモニター１３に被写体が表示される。１０５で撮影操作（各種撮影条件の変更や被写体の撮影など）を行う。１０９で撮影装置１の電源をＯＦＦする。
【００３２】
本実施例では、１０５で撮影操作を行う際に、操作部１４を第１の回動位置に回転させる。このとき、各種撮影条件を変更するためのボタンなどを配置した操作パネル１４ｂの操作面と、平面部１３ａの表示面が平行となる。よって、ユーザーがモニター１３に表示された被写体を見ながら各種撮影条件を変更しやすい。
【００３３】
１０２で再生が選択された場合、１０６で操作部１４を第２の回動位置に回転させる。１０７でモニター１３に撮影済みの画像や撮影条件など各種の情報が表示される。１０８で再生操作（画像の選択や拡大縮小、各種設定など）を行う。１０９で撮影装置１の電源をＯＦＦする。
【００３４】
本実施例では、１０８で撮影操作を行う際に、操作部１４を第２の回動位置に回転させる。このとき、平面部１３ａの表示面と可撓部１３ｂの表示面が平行となり、第１の回動位置と比較してモニター１３の表示面積が拡大する。よって、撮影画像の閲覧性、および、タッチパネルの操作性が向上する。
【００３５】
以上説明したように、撮影装置１は、操作部１４の回転によって、撮影時はモニター１３を撓ませて収納するとともに操作面と表示面を平行とし、撮影時はモニター１３を伸長させて表示面積を拡大する。したがって、小型で撮影時と再生時の操作性を向上させることが可能となる。
【００３６】
本実施例は本発明を制限するものではなく、請求項の範囲で各種の変更を加えてもよい。
【００３７】
操作部１４は、撮影装置１を保持するためのグリップ部を設けてもよい。グリップ部により撮影装置１を保持し易くなり、撮影時および再生時の操作性が向上する。
【００３８】
操作部１４は、レンズを保護するためレンズ鏡筒１１の前面を保護するレンズバリアを備えてもよい。再生時は撮像素子を使用しないため、再生時の操作性を損ねることは無い。
【００３９】
撮影装置１は、露光中に操作部１４のロック部を係合する構成にしてもよい。露光中の不要な操作部１４の回転を防止し、撮影画像の振れを防ぐことができる。
［第２実施形態］
【００４０】
以下、本発明の第２実施形態における撮影装置２について説明する。第１実施形態に対して異なる部分のみを説明する。
【００４１】
図８は、操作部２４が第１の回動位置にある撮影装置２の外観図であり、（ａ）は上面図、（ｂ）は斜視図、（ｃ）は背面図、（ｄ）は側面図である。
【００４２】
２０は筐体であり、上面にホール素子などの検知センサ２０ａを備えている。２２はファインダーであり、筐体２０の背面（レンズ２１と反対側）に設けられている。ファインダー２２の表示面は撮影装置２の背面方向（光軸Ａ方向）に面しており、撮像素子で記録可能な領域を表示可能である。ファインダー２２はモニター２３と比較して単位面積当たりの画素数が多い（解像度が高い）ことが望ましい。本実施例において、ファインダー２２は、レンズ２１を通った光線をミラーおよびプリズムなどの光学系によって接眼面に被写体を表示する、いわゆる光学ファインダーである。
【００４３】
しかし、ファインダーの表示方式によって本発明が制限されるものではなく、撮像素子によって得られた画像を電子的に表示可能な液晶パネルや有機ＥＬパネルなどからなる電子ファインダーであってもよい。また、レンズやミラーを介さずに直接被写体を観察可能な光学系を有する光学ファインダーであってもよい。本実施例ではファインダー２２の表示面の方向は撮影装置２の背面方向であるが、ファインダー２２の表示方向が可変であってもよい。モニター２３はファインダー２２と比較して画面サイズが大きいことが望ましい。
【００４４】
２４は操作部であり、ネオジウムマグネットなどの磁石からなる検知マグネット２４ｅ、２４ｆを備えている。第１の回動位置において、操作部パネル２４ａは撮影装置２の背面方向に面し、操作部パネル２４ａの操作面とファインダー２２の表示面が平行となる。
【００４５】
２５は制御回路であり、検知センサ２０ａの出力をもとにファインダー２２およびモニター２３の表示を制御する。
【００４６】
以下、本実施例における操作部１４の回転検知機構について説明する。図１０（ａ）は、第１の回動位置において、検知センサ２０ａを通り光軸Ａと回転軸Ｂに平行な断面（図８中Ｈ断面）で切った撮影装置２の断面図である。第１の回動位置において、検知センサ２０ａと検知マグネット１４ｅは回転軸Ｂ方向に対向するように配置されている。検知センサ２０ａが検知した検知マグネット２４ｅの磁力または磁極によって、制御回路２５は操作部２４が第１の回動位置にあることを検出することが可能である。
【００４７】
図９は、操作部２４が第２の回動位置にある撮影装置２の外観図であり、（ａ）は上面図、（ｂ）は斜視図、（ｃ）は背面図、（ｄ）は側面図である。図１０（ｂ）は、第２の回動位置において、Ｈ断面で切った断面図である。第２の回動位置において、検知センサ２０ａと検知マグネット２４ｆは回転軸Ｂ方向に対向するように配置されている。検知マグネット２４ｆの磁力または磁極は、検知マグネット２４ｅの磁力または磁極と異なる。よって、検知センサ２０ａが検知した検知マグネット２４ｆの磁力または磁極によって、制御回路２５は操作部２４が第２の回動位置にあることを検出することが可能である。
【００４８】
以下、本実施例における撮影装置２の使用形態について説明する。図１１は、本実施例における撮影装置２のフローチャートである。２０１で撮影装置２の電源がＯＮされる。２０２で撮影装置２の使用形態が選択される。２０２で撮影が選択された場合、２０３で撮影装置２の撮影モードが選択される。２０３でファインダー撮影が選択された場合、２０４で操作部２４を第１の回動位置に回転させる。２０５で操作部２４が第１の回転位置に回転したことを検知センサ２０ａが検知し、制御回路はファインダー２２の表示をＯＮする。２０６でファインダー２２に被写体が表示される。２０７で撮影操作（各種撮影条件の変更や被写体の撮影など）を行う。２１６で撮影装置２の電源をＯＦＦする。
【００４９】
図１２（ａ）は、２０７で行うファインダー２２を使用した撮影操作（ファインダー撮影）の説明図である。ユーザーはファインダー２２に表示された被写体を覗きこみながら撮影を行う。この使用形態では表示部とユーザーの目との距離が近く、解像度の高いファインダー２２の表示が適している。また、外部の光が入射することが無いため像が見やすい。また、視線方向と光軸方向が一致するため被写体を追いかけやすい。
【００５０】
本実施例では、２０７の撮影操作において、操作部２４を第１の回動位置に回転させる。このとき、操作パネル１４ａの操作面に直交する方向が光軸Ａ方向と平行になり、図１２（ｂ）のように操作部１４を前後方向から挟むようにして撮影装置１を保持した際に、操作パネル１４ａを指で操作しやすい。また、操作部パネル１４ａの操作面がファインダー２２の表示面と平行になり、図１２（ｂ）のようにファインダー２２を覗きこみながら撮影を行う際に、視線方向と操作面に直交する方向が一致し、操作パネル２４ａを指で操作しやすい。また、ファインダー２２を覗きこむため、撮影条件の変更は手探りで操作する必要があるが、操作パネル２４ａに設けられたボタンやホイールは感触によって操作したことを確認できるため、手探りの操作に適している。したがって、ファインダー撮影では第１の回動位置に回転させることで、操作性が良好となる。
【００５１】
本実施例では、第１の回動位置では、第２の回動位置に対して、モニター２３の表示面積（Ｄ１）は小さくなる。しかし、ファインダー２２を使用した撮影では、一時的に目を離して表示を確認する場合を除き、モニター２３の表示を使用しない。また、撮影条件の変更は手探りで操作する必要があるため、目視を前提とするモニター２３を使用したタッチパネル操作は適していない。したがって、第１の回動位置に回転させることで操作性を損なうことは無い。
【００５２】
フローチャートに戻り、２０３でライブビュー撮影が選択された場合、２０８で操作部２４を第２の回動位置に回転させる。２０９で操作部２４が第２の回転位置に回転したことを検知センサ２０ａが検知し、制御回路はモニター２３の表示をＯＮする。２１０でモニター２３に被写体が表示される。２１１で撮影操作（各種撮影条件の変更や被写体の撮影など）を行う。２１６で撮影装置２の電源をＯＦＦする。
【００５３】
図１２（ｃ）は、２１１で行うモニター２３を使用した撮影操作（ライブビュー撮影）の説明図である。
【００５４】
撮影装置２はミラーおよびプリズムなどの光学系を光路から退避させて撮像素子に光線を結像させ、モニター２３に撮像素子によって得られた被写体の画像を表示する。いわゆるライブビュー撮影である。ユーザーはモニター２３に表示された被写体を離れて見ながら撮影を行う。この使用形態では撮影装置２と撮影者の目との距離が離れるため、表示面積が大きいモニター２３の表示が適している。また、表示部を直接触れて操作できるモニター２３のタッチパネル操作が適している。
【００５５】
本実施例では、２１１の撮影操作において、操作部２４を第２の回動位置に回転させる。このとき、第１の回動位置に対して、モニター２３の表示面積（Ｄ２）が大きくなるため、モニター２３に表示された被写体の閲覧性、および、タッチパネルの操作性が向上する。また、図１２（ｃ）のように撮影装置２と撮影者の目との距離が離れる撮影形態の際の閲覧性が向上する。したがって、ライブビュー撮影では第２の回動位置に回転させることで、操作性が良好となる。
【００５６】
第２の回動位置では、操作部パネル２４ａは撮影装置２の側面方向に面するため、撮影者から直接目視できないが、操作パネル２４ａに設けられたボタンやホイールは感触によって操作したことを確認できる。したがって、第２の回動位置に回転させることで操作性を損なうことは無い。
【００５７】
フローチャートに戻り、２０２で再生が選択された場合、２１２で操作部２４を第２の回動位置に回転させる。２１３で操作部２４が第２の回転位置に回転したことを検知センサ２０ａが検知し、制御回路はモニター２３の表示をＯＮする。２１４でモニター２３に撮影済みの画像や撮影条件など各種の情報が表示される。２１５で再生操作（画像の選択や拡大縮小、各種設定など）を行う。２１６で撮影装置２の電源をＯＦＦする。
【００５８】
図１２（ｃ）は、２１５で行うモニター２３を使用した画像の再生操作の説明図である。ユーザーはモニター２３の表示を見て各種操作を行う。この使用形態では、より多くの情報を表示できるため、表示面積が大きいことが望ましい。また、表示部を直接触れて操作できるタッチパネル操作が適している。
【００５９】
本実施例では、２１５の再生操作において、操作部２４を第２の回動位置に回転させる。このとき、第１の回動位置に対して、モニター２３の表示面積（Ｄ２）が大きくなるため、モニター２３の表示の閲覧性、および、タッチパネルの操作性が向上する。また、図１２（ｃ）のように撮影装置１と撮影者の目との距離が離れる撮影形態の際の閲覧性が向上する。したがって、再生では第２の回動位置に回転させることで、操作性が良好となる。
【００６０】
また、ライブビュー撮影と同様に、第２の回動位置に回転させることで操作性を損なうことは無い。
【００６１】
本実施例は本発明を制限するものではなく、請求項の範囲で各種の変更を加えてもよい。
【００６２】
制御回路２５は、操作部２４が第１の回動位置にあることを検知して、操作部２４によって隠れる部分のモニター２３の表示をＯＦＦしてもよい。目に触れない部分の表示をＯＦＦすることにより、操作性を犠牲にすることなく省電力化が図れる。
【００６３】
制御回路２５は、操作部２４が第２の回動位置にあることを検知して、ファインダー２２の表示をＯＦＦしてもよい。使用しない部分の表示をＯＦＦすることにより、操作性を犠牲にすることなく省電力化が図れる。
【００６４】
制御回路２５は、操作部２４が第１の回動位置にあることを検知して、ファインダー撮影モードに切り替えてもよい。また、操作部２４が第２の回動位置にあることを検知して、ライブビュー撮影または画像再生モードに切り替えてもよい。モード切り替えの際の操作が削減でき、操作性が向上する。
【００６５】
［第３実施形態］
以下、本発明の第３実施形態における撮影装置３について説明する。第１実施形態および第２実施形態に対して異なる部分のみを説明する。
【００６６】
図１３は、操作部３４が第２の回動位置にある撮影装置３の外観図であり、（ａ）は上面図、（ｂ）は斜視図、（ｃ）は背面図、（ｄ）は側面図である。
【００６７】
図１４（ａ）はモニター３３の斜視図であり、表示面と反対の面が見えるように示している。表示面が筐体３０の背面方向に面した平面である平面部３３ａと、表示面が上下方向への投影面内の方向に撓むことが可能な可撓部３３ｂとを備えており、平面部３３ａと可撓部３３ｂはそれぞれの表示面が連なるように左右方向に並んでいる。モニター３３の可撓部３３ｂ側の先端に、上下方向（操作部３４の回転軸方向）に延出した係合部３３ｃを備えている。
【００６８】
可撓部３３ｂの表示面と反対の面に、剛体からなる上下方向に延出する支柱部３３ｄが左右方向に並行に複数配置されている。支柱部３３ｄにより、可撓部３３ｂの撓み方向は上下方向への投影面内の方向（図１３中Ｆ方向）のみに規制され、左右方向への投影面内の方向（図１３中Ｇ方向）の撓みに対する強度が強くなる。よって可撓部３３ｂは操作部３４の回動によって安定して撓み状態と平面状態を切り替えることができる。
【００６９】
可撓部３３ｂと係合部３３ｃは左右方向（図１３中Ｈ方向）に弾性を有する弾性部３３ｅによって連結されている。
【００７０】
図１４（ｂ）は操作部３４の斜視図である。ヒンジ部３４ａを介して筐体３０に回転可能に軸支されている。各種撮影条件を変更するためのボタンやホイールなどを配置した操作パネル３４ｂを備えている。操作部３４の内面の上下にモニター３３の係合部３３ｃが係合可能な係合部３４ｃを備えている。操作部３４の内面にモニター３３の可撓部３３ｂが当接する内周部３４ｄを備えている。
【００７１】
第２の回動位置において、係合部３３ｃは係合部３４ｃに係合し、操作部３４に対しモニター３３の可撓部３３ｂが保持されている。弾性部３３ｅは可撓部３３ｂを平面部３３ａの表示面と平行で回転軸Ｂと直交する方向（図１３中Ｈ方向）に付勢しながら保持する。そのため、可撓部３３ｂの表示面が平面となり、かつ、平面部３３ａの表示面と可撓部３３ｂの表示面が平行となる。したがって、第２の回動位置では、第１の回動位置に対して、モニター３３の表示面積（Ｄ３）が大きくなる。
【００７２】
以上説明したように、撮影装置３は、操作部３４の回転によって、撮影時はモニター３３を撓ませて収納するとともに操作面と表示面を平行とし、撮影時はモニター３３を伸長させて表示面積を拡大する。したがって、小型で撮影時と再生時の操作性を向上させることが可能となる。
【符号の説明】
【００７３】
１     撮影装置
１０   筐体
１０ａ      ロックマグネット
１１   レンズ鏡筒
１３   モニター
１３ａ      平面部
１３ｂ      可撓部
１３ｃ      係合部
１４   操作部
１４ａ      ヒンジ部
１４ｂ      操作パネル
１４ｃ      カム溝
１４ｄ      内周部
１４ｅ、１４ｆ     ロックヨーク
【図１】
2015154223.tif 000003
【図２】
2015154223.tif 000004
【図３】
2015154223.tif 000005
【図４】
2015154223.tif 000006
【図５】
2015154223.tif 000007
【図６】
2015154223.tif 000008
【図７】
2015154223.tif 000009
【図８】
2015154223.tif 000010
【図９】
2015154223.tif 000011
【図１０】
2015154223.tif 000012
【図１１】
2015154223.tif 000013
【図１２】
2015154223.tif 000014
【図１３】
2015154223.tif 000015
【図１４】
2015154223.tif 000016